(57)【要約】      （修正有）【課題】掛け布団カバーに入れないで使用することにより掛け布団の生地の肌触り等を直接体感することができる掛け布団を提供する。【解決手段】掛け布団１０は着脱可能な襟元体１２と本体１４とから構成され、この本体１４には縦方向に第１縦ステッチ２４、第２縦ステッチ２６、中央縦ステッチ２８が形成されている。襟元体１２の本体対向部５２の周縁には襟元体突出縁５４が形成され、本体１４の襟元体対向部５６の周縁には本体突出縁５８が形成されている。襟元体１２の本体対向部５２の表側の襟元体突出縁５４と本体１４の襟元体対向部５６の表側の本体突出縁５８にはそれぞれ第１ファスナーが設けられ、襟元体１２の本体対向部５２の裏側の襟元体突出縁５４と本体１４の襟元体対向部５６の裏側の本体突出縁５８にはそれぞれ第２ファスナーが設けられている。【選択図】図１
0003116066.tif 000002
【実用新案登録請求の範囲】
【請求項１】
掛け布団使用者の肩や首に対応する襟元体と、掛け布団使用者の胸、胴、脚に対応する本体と、前記襟元体と本体の間に形成されて襟元体と本体を着脱可能にする着脱手段と、を有してなることを特徴とする掛け布団。
【請求項２】
掛け布団使用者の肩や首に対応する襟元体と、掛け布団使用者の胸、胴、脚に対応する本体と、前記本体に縦方向に向って形成された第１縦ステッチ及び第２縦ステッチと、この第１縦ステッチと第２縦ステッチの間で前記本体の中央に縦方向に向って形成された中央縦ステッチと、前記襟元体の本体対向部と前記本体の襟元体対向部の間に設けられた着脱手段と、を有してなることを特徴とする掛け布団。
【請求項３】
掛け布団使用者の肩や首に対応する襟元体と、掛け布団使用者の胸、胴、脚に対応する本体と、前記本体に縦方向に向って形成された第１縦ステッチ及び第２縦ステッチと、この第１縦ステッチと第２縦ステッチの間で前記本体の中央に縦方向に向って形成された中央縦ステッチと、前記襟元体の本体対向部の周縁に形成された襟元体突出縁と、前記本体の襟元体対向部の周縁に形成された本体突出縁と、前記襟元体の本体対向部の表側の襟元体突出縁と前記本体の襟元体対向部の表側の本体突出縁にそれぞれ設けられると共に第１ファスナーを構成する表側ファスナーレールと、これら表側ファスナーレールに取り付けられて前記表側ファスナーレールと共に第１ファスナーを構成する表側ファスナースライダーと、前記襟元体の本体対向部の裏側の襟元体突出縁と前記本体の襟元体対向部の裏側の本体突出縁にそれぞれ設けられると共に第２ファスナーを構成する裏側ファスナーレールと、これら裏側ファスナーレールに取り付けられて前記裏側ファスナーレールと共に第２ファスナーを構成する裏側ファスナースライダーと、を有してなることを特徴とする掛け布団。
【請求項４】
掛け布団使用者の肩や首に対応すると共に先端面に縫い目が形成されていない襟元体と、掛け布団使用者の胸、胴、脚に対応する本体と、前記本体に縦方向に向って形成された第１縦ステッチ及び第２縦ステッチと、この第１縦ステッチと第２縦ステッチの間で前記本体の中央に縦方向に向って形成された中央縦ステッチと、前記襟元体の本体対向部の周縁に形成された襟元体突出縁と、前記本体の襟元体対向部の周縁に形成された本体突出縁と、前記襟元体の本体対向部の表側の襟元体突出縁と前記本体の襟元体対向部の表側の本体突出縁にそれぞれ設けられ共に第１ファスナーを構成する表側ファスナーレールと、これら表側ファスナーレールに取り付けられて前記表側ファスナーレールと共に第１ファスナーを構成する表側ファスナースライダーと、前記襟元体の本体対向部の裏側の襟元体突出縁と前記本体の襟元体対向部の裏側の本体突出縁にそれぞれ設けられると共に第２ファスナーを構成する裏側ファスナーレールと、これら裏側ファスナーレールに取り付けられると共に前記裏側ファスナーレールと共に第２ファスナーを構成する裏側ファスナースライダーと、を有してなることを特徴とする掛け布団。
【考案の詳細な説明】
【技術分野】
【０００１】
本考案は、掛け布団に関し、詳しくは掛け布団カバーを使用しないで直接使用することができる掛け布団に関する。
【背景技術】
【０００２】
寝具としての掛け布団は従来から広く用いられているが、掛け布団は掛け布団カバーに入れないで使用すると特に襟元部付近が直ぐに汚れてしまうため、一般に掛け布団カバーに入れて使用されている。
しかし、掛け布団カバーに入れた状態で掛け布団を使用すると、折角、掛け布団の生地や掛け布団の充填素材に肌触りの優れた素材を用いていても掛け布団が直接掛け布団使用者に触れないため、肌触り等の優れた素材を体感することができないという不具合がある。
【考案の開示】
【考案が解決しようとする課題】
【０００３】
本考案は、上記事実に鑑みなされたものであり掛け布団カバーに入れないで使用することにより掛け布団の生地の肌触りや掛け布団の充填素材の感触等を直接体感することができる掛け布団を提供するものである。
【課題を解決するための手段】
【０００４】
請求項１の考案は、掛け布団使用者の肩や首に対応する襟元体と、掛け布団使用者の胸、胴、脚に対応する本体と、前記襟元体と本体の間に形成されて襟元体と本体を着脱可能にする着脱手段と、を有してなることを特徴としている。
請求項２の考案は、掛け布団使用者の肩や首に対応する襟元体と、掛け布団使用者の胸、胴、脚に対応する本体と、前記本体に縦方向に向って形成された第１縦ステッチ及び第２縦ステッチと、この第１縦ステッチと第２縦ステッチの間で前記本体の中央に縦方向に向って形成された中央縦ステッチと、前記襟元体の本体対向部と前記本体の襟元体対向部の間に設けられた着脱手段と、を有してなることを特徴としている。
請求項３の考案は、掛け布団使用者の肩や首に対応する襟元体と、掛け布団使用者の胸、胴、脚に対応する本体と、前記本体に縦方向に向って形成された第１縦ステッチ及び第２縦ステッチと、この第１縦ステッチと第２縦ステッチの間で前記本体の中央に縦方向に向って形成された中央縦ステッチと、前記襟元体の本体対向部の周縁に形成された襟元体突出縁と、前記本体の襟元体対向部の周縁に形成された本体突出縁と、前記襟元体の本体対向部の表側の襟元体突出縁と前記本体の襟元体対向部の表側の本体突出縁にそれぞれ設けられると共に第１ファスナーを構成する表側ファスナーレールと、これら表側ファスナーレールに取り付けられて前記表側ファスナーレールと共に第１ファスナーを構成する表側ファスナースライダーと、前記襟元体の本体対向部の裏側の襟元体突出縁と前記本体の襟元体対向部の裏側の本体突出縁にそれぞれ設けられると共に第２ファスナーを構成する裏側ファスナーレールと、これら裏側ファスナーレールに取り付けられて前記裏側ファスナーレールと共に第２ファスナーを構成する裏側ファスナースライダーと、を有してなることを特徴としている。
請求項４の考案は、掛け布団使用者の肩や首に対応すると共に先端面に縫い目が形成されていない襟元体と、掛け布団使用者の胸、胴、脚に対応する本体と、前記本体に縦方向に向って形成された第１縦ステッチ及び第２縦ステッチと、この第１縦ステッチと第２縦ステッチの間で前記本体の中央に縦方向に向って形成された中央縦ステッチと、前記襟元体の本体対向部の周縁に形成された襟元体突出縁と、前記本体の襟元体対向部の周縁に形成された本体突出縁と、前記襟元体の本体対向部の表側の襟元体突出縁と前記本体の襟元体対向部の表側の本体突出縁にそれぞれ設けられ共に第１ファスナーを構成する表側ファスナーレールと、これら表側ファスナーレールに取り付けられて前記表側ファスナーレールと共に第１ファスナーを構成する表側ファスナースライダーと、前記襟元体の本体対向部の裏側の襟元体突出縁と前記本体の襟元体対向部の裏側の本体突出縁にそれぞれ設けられると共に第２ファスナーを構成する裏側ファスナーレールと、これら裏側ファスナーレールに取り付けられると共に前記裏側ファスナーレールと共に第２ファスナーを構成する裏側ファスナースライダーと、を有してなることを特徴としている。
【考案の効果】
【０００５】
本考案は、襟元体と本体とから構成されると共に襟元体と本体は着脱可能であるので使用により襟元体が汚れても本体から襟元体を外して襟元体を容易に洗濯することができるので、掛け布団カバーに入れないで直接使用して掛け布団の生地の感触や充填素材の感触等をより体感することができるという優れた効果を有する。
請求項２、請求項３の本考案は、前記優れた効果の他に本体に縦方向に向って第１縦ステッチ、第２縦ステッチが形成されているので、掛け布団は第１縦ステッチと第２縦ステッチの箇所で折れ曲がり掛け布団の両端部に隙間が生じることなく掛け布団を掛けることができるという優れた効果を有する。
請求項４の本考案は、前記優れた効果の他に襟元体の先端面に縫い目が形成されていないので先端面が掛け布団使用者の顎等に当たっても違和感をおぼえることがないという優れた効果を有する。
【考案を実施するための最良の形態】
【０００６】
考案を実施するために最良の形態の例として以下のような実施例を示す。
【実施例１】
【０００７】
図１〜図４には本考案の掛け布団の一実施例が示されている。
図１に示されるように、この掛け布団１０は平面視矩形状に形成され、着脱可能な襟元体１２と本体１４とから構成されている。この襟元体１２と本体１４の生地は高級布材のコーマ糸の織物地で形成されている。なお、前記襟元体１２と本体１４の生地はダウンプルーフ加工はされていない。このため目詰め加工用の薬品が使用されないので、生地の肌触りが自然で健康志向に合致するようになっている。
前記襟元体１２は横方向（図１左右方向）に長く形成されると共に掛け布団使用者の首や肩等の襟元に対応するようになっている。また、前記本体１４は縦方向（図１上下方向）に長く形成されると共に掛け布団使用者の胸、胴、脚に対応するようになっている。
前記襟元体１２には傾斜して傾斜ステッチ１６が形成され、傾斜ステッチ１６により襟元体１２の内部は複数（実施例では５個）の襟元体室１８に区画形成されている。
前記本体１４の第１側端部２０と第２側端部２２の間には縦方向に第１縦ステッチ２４、第２縦ステッチ２６が形成されると共に本体１４の中央部には中央縦ステッチ２８が形成されている。
また、本体１４の第１側端部２０と前記第１縦ステッチ２４の間には傾斜ステッチ３０が４本形成されている。従って、前記第１側端部２０と前記第１縦ステッチ２４の間には第１側部室３２が４個形成されている。
また、本体１４の第１縦ステッチ２４と前記中央縦ステッチ２８の間には傾斜ステッチ３４が４本形成されている。従って、前記第１縦ステッチ２４と前記中央縦ステッチ２８の間には第１中央室３６が３個形成されている。
また、本体１４の第２縦ステッチ２６と前記中央縦ステッチ２８の間には傾斜ステッチ３８が４本形成されている。従って、前記第２縦ステッチ２６と前記中央縦ステッチ２８の間には第２中央室４０が３個形成されている。
前記本体１４の第２側端部２２と前記第２縦ステッチ２６の間には傾斜ステッチ４２が４本形成されている。従って、前記第２側端部２２と前記第２縦ステッチ２６の間には第２側部室４４が４個形成されている。
また、前記本体１４の襟元体１２側には胸元室４６が１個形成され、本体１４の足元部には足元室４８が２個形成されている。
前記襟元体室１８、第１側部室３２、第１中央室３６、第２中央室４０、第２側部室４４、胸元室４６、足元室４８には充填素材としてのダウン（羽毛）５０がそれぞれ充填され、掛け布団１０に厚みを持たせている。このダウン５０は区画形成された前記襟元体室１８、第１側部室３２、第１中央室３６、第２中央室４０、第２側部室４４、胸元室４６、足元室４８にそれぞれ充填されているので偏らないようになっている。なお、上述の如く前記襟元体１２と本体１４の生地にはダウンプルーフ加工は行われていないが別途手段によりダウン５０が前記襟元体１２と本体１４から抜け出ないようになっている。
図２に示されるように、前記襟元体１２の本体対向部５２の周縁には襟元体突出縁５４が形成されている。また、前記本体１４の襟元体対向部５６の周縁にも本体突出縁５８が形成されている。
前記襟元体１２の本体対向部５２の表側の襟元体突出縁５４と前記本体１４の襟元体対向部５６の表側の本体突出縁５８にはそれぞれ着脱手段としての第１ファスナー６０を構成する表側ファスナーレール６０Ａ，６０Ａが設けられ、表側ファスナーレール６０Ａ，６０Ａには表側ファスナーレール６０Ａ，６０Ａと共に第１ファスナー６０を構成する表側ファスナースライダー６０Ｂが取り付けられている。
また、前記襟元体１２の本体対向部５２の裏側の襟元体突出縁５４と前記本体１４の襟元体対向部５６の裏側の本体突出縁５８にはそれぞれ着脱手段としての第２ファスナー６２を構成する裏側ファスナーレール６２Ａ，６２Ａが設けられ、裏側ファスナーレール６２Ａ，６２Ａには裏側ファスナーレール６２Ａ，６２Ａと共に第２ファスナー６２を構成する裏側ファスナースライダー６２Ｂが取り付けられている。
従って、表側ファスナースライダー６０Ｂと裏側ファスナースライダー６２Ｂをスライド操作することにより、図１に示すように前記襟元体１２を前記本体１４に連結させたり、図３に示すように前記襟元体１２を前記本体１４から分離させたりすることができるようになっている。
なお、図１及び図４に示されるように前記第１ファスナー６０と第２ファスナー６２は目立たないように設けられているので、第１ファスナー６０、第２ファスナー６２に設けても掛け布団１０の外観品質が低下するようなことは無い。
また、図４に示されるように、前記襟元体１２の先端面６６にはステッチ１６が形成されているだけで先端面６６に沿って横方向に長い縫い目は形成されていないので、前記掛け布団１０を掛けた場合に前記襟元体１２の先端面６６が掛け布団使用者の顎等に当接しても違和感をおぼえるようなことは無い。
【０００８】
次に実施例の掛け布団１０の作用について説明する。
この掛け布団１０を使用する場合は、掛け布団１０を掛け布団カバーに入れないで図４に示されるように直接前記掛け布団１０を掛け布団使用者の身体に覆うようにして掛けて使用する。
従って、掛け布団１０を構成する襟元体１２と本体１４の生地に肌触りに優れた生地を使用すると直接掛け布団１０が掛け布団使用者に触れるので掛け布団１０の生地の肌触り等を体感することができると共に掛け布団１０に充填されている前記ダウン５０の感触等を体感することができる。
また、この掛け布団１０の前記本体１４には縦方向に第１縦ステッチ２４、第２縦ステッチ２６、中央縦ステッチ２８が形成されているので、図４に示されるように掛け布団１０を掛けた場合に第１縦ステッチ２４と第２縦ステッチ２６の箇所で折れ曲がり掛け布団１０の両端部が敷き布団（図示せず）に密着して掛け布団１０の両端部に隙間が生じるのを防ぐことができる。
さらに、前記襟元体１２の先端面６６には先端面６６に沿って横方向に長い縫い目は形成されていないので、掛け布団１０を掛けた場合に前記襟元体１２の先端面６６が掛け布団使用者の顎等に当接しても違和感をおぼえるようなことは無い。
また、前記第１ファスナー６０と第２ファスナー６２は目立たないように掛け布団１０に設けられているので、掛け布団１０の外観品質が低下するようなことは無い。
なお、掛け布団１０の表側ファスナースライダー６０Ｃをスライドさせて表側ファスナーレール６０Ｂと表側ファスナーレール６０Ｂを開くと共に裏側ファスナースライダー６２Ｃをスライドさせて裏側ファスナーレール６２Ｂと裏側ファスナーレール６２Ｂを開くと襟元体１２を本体１４から簡単に分離することができる。
このため、前記掛け布団１０を使用して前記襟元体１２が汚れた場合は襟元体１２を本体１２から分離して洗濯することができる。この場合、襟元体１２は本体１４に比べて小さいので家庭でも簡単に手洗いすることができる。また、クリーニング店に洗濯を依頼しても前記襟元本体１２は本体１４に比べて小さいので比較的安いクリーニング代でクリーニングすることができる。
【０００９】
なお、前記実施例の掛け布団１０においては襟元体１２の内部に複数の襟元体室１８を形成し、本体１４の内部に複数の第１側部室３２、第１中央室３６、第２中央室４０、第２側部室４４、胸元室４６、足元室４８を形成したが、襟元体１２及び本体１４の内部には必ずしも複数の室を形成しなくてもよいことは勿論である。
また、実施例では掛け布団１０の襟元体１２と本体１４の生地を高級布材のコーマ糸の織物地で形成した場合を説明したが、掛け布団１０の襟元体１２と本体１４の生地の布材は高級布材のコーマ糸の織物地に限定されるものでないことは勿論である。
なお、実施例では掛け布団１０の充填素材としてダウン５０を使用した場合を説明したが、掛け布団１０の充填素材はダウン５０に限定されるものでないことは勿論である。
【図面の簡単な説明】
【００１０】
【図１】実施例の掛け布団の平面図である。
【図２】実施例の掛け布団を構成する襟元体及び本体の一部拡大斜視図である。
【図３】実施例の掛け布団の襟元体と本体を分離した状態の平面図である。
【図４】実施例の掛け布団を使用している全体斜視図である。
【符号の説明】
【００１１】
１０    掛け布団
１２    襟元体
１４    本体
２４    第１縦ステッチ
２６    第２縦ステッチ
２８    中央縦ステッチ
５０    ダウン
５２    本体対向部
５４    襟元体突出縁
５６    襟元体対向部
５８    本体突出縁
６０    第１ファスナー
６０Ａ  表側ファスナーレール
６０Ｂ  表側ファスナースライダー
６２    第２ファスナー
６２Ａ  裏側ファスナーレール
６２Ｂ  裏側ファスナースライダー
【図１】
0003116066.tif 000003
【図２】
0003116066.tif 000004
【図３】
0003116066.tif 000005
【図４】
0003116066.tif 000006